(57)【特許請求の範囲】
【請求項１】
ハウジング本体をベットを介してアイランド上に設置する給油装置において、ベットに、鋼製の矩形枠による鋼製ピットであり、上端に外向フランジを有し、この鋼製ピットを型枠として使用し、鋼製ピットはコンクリート硬化後はそのまま埋め殺し、その上端が顕出するようにアイランド内に埋設する転倒防止部材をアンカーボルトで締結し、ベットとハウジング本体とはボルトで締結することで、ハウジング本体をベットを介してアイランド上に設置することを特徴とする給油装置。
【発明の詳細な説明】
【０００１】
【発明の属する技術分野】
本発明は、自動車・オートバイ等へガソリン等の燃料補給を行う給油所、いわゆるガソリンステーションに設置する給油装置に関するものである。
【０００２】
【従来の技術】
ガソリンステーションに設置する給油装置のうち、地上固定式の給油装置は、地上に設置したアイランド上に立設するもので、ハウジング内部に地下の貯油タンクから立ち上がる給油配管に設けた給油ポンプ、流量計を収め、また、制御機器等を内蔵させ、外面に給油量表示計を設け、さらに、先端に給油ノズルを設けた給油ホースを外側に取り付けたものである。
【０００３】
そして、給油装置は図４に示すように、アイランド１にハウジングを立設するのにハウジングはハウジング本体２に下端に設置用台としてのベット３を設けたものであり、このベット３の部分をアイランド１に埋設したアンカーボルト４で固定している。
【０００４】
５はアイランド１内に形成するピットであり、このピット５内で地下貯油タンクから立ち上がる給油配管６ａとハウジング本体２内への給油配管６ｂの接続が行われ、ベロース等による可撓継手７が用いられる。図中８はピット５の内周を形成する防水モルタルである。
【０００５】
【発明が解決しようとする課題】
しかし、地震、または車両の衝突等でハウジング本体２の部分に強い衝撃を受けると、このハウジング本体２が傾くことでアンカーボルト４とベット３との固定部分に強い力が働き、アンカーボルト４の周囲のコンクリートが破壊して、アンカーボルト４が抜け、ハウジング本体２が転倒するおそれがある。なお、ハウジング本体２の転倒は可撓継手７があるとはいえ、この部分では対応できず、油の漏洩につながり、火災等の惨事に到る危険もでてくる。
【０００６】
本発明の目的は前記従来例の不都合を解消し、安価な構造体を付加するだけで、地震等の衝撃を受けても簡単に転倒しないようにすることができる給油装置を提供することにある。
【０００７】
【課題を解決するための手段】
本発明は前記目的を達成するため、ハウジング本体をベットを介してアイランド上に設置する給油装置において、ベットに、鋼製の矩形枠による鋼製ピットであり、上端に外向フランジを有し、この鋼製ピットを型枠として使用し、鋼製ピットはコンクリート硬化後はそのまま埋め殺し、その上端が顕出するようにアイランド内に埋設する転倒防止部材をアンカーボルトで締結し、ベットとハウジング本体とはボルトで締結することで、ハウジング本体をベットを介してアイランド上に設置することを要旨とするものである。
【０００８】
請求項１記載の本発明によれば、ベットに転倒防止部材を結合してあり、この転倒防止部材によりハウジング本体が容易に転倒しないようになる。
【０００９】
前記作用に加えて、転倒防止部材は鋼製の矩形枠による鋼製ピットとすることで、ピット形成にこの鋼製ピットが型枠として利用でき、コンクリート打設後型枠とした鋼製ピットをそのまま埋め殺して、アイランド上に顕出する上端にベットを結合すればよい。また、鋼製ピットはアイランド内に埋設するのでそれ自体は大きなものでなくともしっかりとハウジング本体を支持できる。
【００１０】
上端の外向フランジの上にベットを載置して両者をアンカーボルトで締結すれば、より、安定した状態の支持が可能となる。
【００１１】
【発明の実施の形態】
以下、図面について本発明の実施の形態を詳細に説明する。図１は本発明の給油装置の第１実施形態を示す一部切欠いた正面図で、前記従来例を示す図４と同一構成要素には同一参照符号を付したものである。
【００１２】
給油装置は地上固定式のものとして、アイランド１上に立設されたハウジング本体２の下端に設置用台としてのベット３を設けたものである。
【００１３】
本発明は、アイランド１内にピット５を形成するのに、鋼製の矩形枠による鋼製ピット９を型枠として使用し、鋼製ピット９はコンクリート硬化後はそのまま埋め殺し、その上端が顕出するようにアイランド１内に埋設する。アンカーボルト４はこのように鋼製ピット９を設置する際に鋼製ピット９に係合させておき、硬化するコンクリート内からアイランド１の面上に突出するようにセットする。
【００１４】
ピット５内では地下貯油タンクから立ち上がる給油配管６ａとハウジング本体２内への給油配管６ｂの接続が行われ、ベロース等による可撓継手７が用いられる。図中８はピット５の底部すなわち鋼製ピット９の底部に敷設する防水モルタルである。図１の例は２系統の給油配管がある例であり、図中１４は給油量表示計である。なお、給油ノズルおよび給油ホースの図示は省略した。
【００１５】
なお、鋼製ピット９は図２に示すように上端と下端に外向フランジ９ａ，９ｂを有するものであり、上端の外向フランジ９ａには前記アンカーボルト４をセットするためのボルト挿通孔１０を穿設した。
【００１６】
この鋼製ピット９を転倒防止部材として、アイランド１の上面に顕出する外向フランジ９ａ上にベット３を載置し、両者をアンカーボルト４で締結する。
【００１７】
ベット３とハウジング本体２とはボルト１３で締結することで、ハウジング本体２をベット３を介してアイランド１上に設置する。
【００１８】
鋼製ピット９はアイランド１内に埋設されており、ハウジング本体２が地震その他の衝撃等を受けて転倒しようとしてもこの鋼製ピット９が支承することで、転倒を防止できる。なお、鋼製ピット９は下端の外向フランジ９ｂは無いこともある。
【００１９】
図３は本発明の第２実施形態を示すもので、アイランド１上に鋼製の基板１１を敷設し、この鋼製の基板１１を転倒防止部材としてその上にベット３を載置し、ハウジング本体２をベット３を介してアイランド１上に設置した。
【００２０】
鋼製の基板１１にはボルト挿通孔１２を穿設してあり、鋼製の基板１１とベット３はこのボルト挿通孔１２を介して両者をアンカーボルト４で締結する。
【００２１】
本実施形態の場合は鋼製の基板１１がアイランド１に対して大きな面積で設置しており、この鋼製の基板１１がハウジング本体２を支承することでハウジング本体２の転倒を防止できる。
【００２２】
【発明の効果】
以上述べたように本発明の給油装置は、安価な構造体を付加するだけで、地震等の衝撃を受けても簡単に転倒しないようにすることができ、安全性を高めることができるものである。
【図面の簡単な説明】
【図１】  本発明の給油装置の第１実施形態を示す一部切欠いた正面図である。
【図２】  本発明の給油装置の第１実施形態で使用する鋼製ピットの斜視図である。
【図３】  従来例を示す一部切欠いた側面図である。
【符号の説明】
１…アイランド                        ２…ハウジング本体
３…ベット                            ４…アンカーボルト
５…ピット                            ６ａ，６ｂ…給油配管
７…可撓継手                          ８…防水モルタル
９…鋼製ピット                        ９ａ，９ｂ…外向フランジ
１０…ボルト挿通孔
１２…ボルト挿通孔                    １３…ボルト
１４…給油量表示計
【図１】
0003975687.tif 000002
【図２】
0003975687.tif 000003
【図３】
0003975687.tif 000004